(57)【要約】【課題】シートを収納する収納部とオプションユニットとを互いに干渉しないように配置するために大型化するとの弊害を低減し、小型化することができる画像形成装置を提供する。【解決手段】画像形成装置１０は、画像形成装置本体１２と、画像形成装置本体１２に装着され、シートを収納する手差し用収納容器８０とを有する。手差し収納容器８０は、第１の部材９６と、第１の部材９６に回転自在に設けられた第２の部材とを有し、画像形成装置本体１２に反転搬送ユニット１７が装着された場合は、反転搬送ユニット１７の外形に合わせて、第１の部材９６と第２の部材９８とが折曲可能とした。【選択図】図１
2008276100.tif 000002
【特許請求の範囲】
【請求項１】
画像形成装置本体と、
少なくとも一部が前記画像形成装置本体から突出可能に前記画像形成装置本体に設けられ、シートの収納に用いられる収納部と、
を有し、
前記収納部は、第１の部材と、この第１の部材に回転自在に設けられた第２の部材と、を有し、前記画像形成装置本体にオプションユニットが装着された場合は、前記オプションユニットの外形に合わせて、前記第１の部材と前記第２の部材とが折曲可能とした画像形成装置。
【請求項２】
前記収納部は、シートの側部からシートの搬送を案内する案内部をさらに有し、
前記案内部は、
前記第１の部材に、シート搬送方向と略直交する方向に移動可能に設けられた案内部本体と、
前記第２の部材側に突出するように、前記案内部本体に回転可能に装着され、前記第２の部材が前記第１の部材に対して回転することと連係して、案内部本体に対して回転する回転部と、
を有する請求項１記載の画像形成装置。
【請求項３】
画像形成装置本体と、
少なくとも一部が前記画像形成装置本体から突出可能に前記画像形成装置本体に設けられ、シートの収納に用いられる収納部と、
前記画像形成装置本体に着脱可能に設けられたオプションユニットと、
を有し、
前記収納部は、第１の部材と、この第１の部材に回転自在に設けられた第２の部材と、を有し、前記オプションユニットの外形に合わせて、前記第１の部材と前記第２の部材とが折曲可能とした画像形成装置。
【請求項４】
画像形成装置本体と、
オプションユニットが装着されていない場合に少なくとも一部が前記画像形成装置本体から突出可能に前記画像形成装置本体に設けられ、シートの収納に用いられる収納部と、
を有し、
前記収納部は、前記画像形成装置本体に前記オプションユニットが装着された場合に、前記オプションユニット側から前記画像形成装置本体内に搬送されるシートが通過する通過孔が形成されている画像形成装置。
【請求項５】
画像形成装置本体と、
前記画像形成装置本体に着脱可能に設けられたオプションユニットと、
前記オプションユニットが装着されていない場合に少なくとも一部が前記画像形成装置本体から突出可能に前記画像形成装置本体に設けられ、シートの収納に用いられる収納部と、
を有し、
前記収納部は、前記オプションユニット側から前記画像形成装置本体内に搬送されるシートが通過する通過孔が形成されている画像形成装置。
【発明の詳細な説明】
【技術分野】
【０００１】
本発明は画像形成装置に関する。
【背景技術】
【０００２】
給紙部から搬入された用紙を記録部に搬送して排紙トレイに搬出する用紙搬送手段と、装置本体の側面に取り付けられた手差し給紙トレイと、前記用紙搬送手段の搬送経路において前記記録部の下流側から搬入された用紙を前記記録部の上流側に搬出するための反転搬送ユニットとを備えた画像形成装置であって、装置本体の前記側面には、前記手差し給紙トレイを収納する収納開口部が設けられており、前記反転搬送ユニットは、前記収納開口部の上部を覆うように装着されるとともに前記収納開口部を通過するように反転搬送路が形成されている画像形成装置が知られている（特許文献１）。
【０００３】
【特許文献１】特開２００４−１８９３８５号公報
【発明の開示】
【発明が解決しようとする課題】
【０００４】
本発明の目的は、シートを収納する収納部とオプションユニットとを互いに干渉しないように配置するために大型化するとの弊害を低減し、小型化することができる画像形成装置を提供することにある。
【課題を解決するための手段】
【０００５】
本発明の第１の特徴とするところは、画像形成装置本体と、少なくとも一部が前記画像形成装置本体から突出可能に前記画像形成装置本体に設けられ、シートの収納に用いられる収納部と、を有し、前記収納部は、第１の部材と、この第１の部材に回転自在に設けられた第２の部材と、を有し、前記画像形成装置本体にオプションユニットが装着された場合は、前記オプションユニットの外形に合わせて、前記第１の部材と前記第２の部材とが折曲可能とした画像形成装置にある。ここで、オプションユニットとは、画像形成又はシート搬送に関する機能を付加するために、選択的に画像形成装置本体に着脱可能に装着されるユニットをいう。
【０００６】
好適には、前記収納部は、シートの側部からシートの搬送を案内する案内部をさらに有し、前記案内部は、前記第１の部材に、シート搬送方向と略直交する方向に移動可能に設けられた案内部本体と、前記第２の部材側に突出するように、前記案内部本体に回転可能に装着され、前記第２の部材が前記第１の部材に対して回転することと連係して、案内部本体に対して回転する回転部とを有する。
【０００７】
また、本発明の第２の特徴とするところは、画像形成装置本体と、少なくとも一部が前記画像形成装置本体から突出可能に前記画像形成装置本体に設けられ、シートの収納に用いられる収納部と、前記画像形成装置本体に着脱可能に設けられたオプションユニットと、
を有し、前記収納部は、第１の部材と、この第１の部材に回転自在に設けられた第２の部材と、を有し、前記オプションユニットの外形に合わせて、前記第１の部材と前記第２の部材とが折曲可能とした画像形成装置にある。
【０００８】
また、本発明の第３の特徴とするところは、画像形成装置本体と、オプションユニットが装着されていない場合に少なくとも一部が前記画像形成装置本体から突出可能に前記画像形成装置本体に設けられ、シートの収納に用いられる収納部と、
を有し、前記収納部は、前記画像形成装置本体に前記オプションユニットが装着された場合に、前記オプションユニット側から前記画像形成装置本体内に搬送されるシートが通過する通過孔が形成されている画像形成装置にある。
【０００９】
また、本発明の第４の特徴とするところは、画像形成装置本体と、前記画像形成装置本体に着脱可能に設けられたオプションユニットと、前記オプションユニットが装着されていない場合に少なくとも一部が前記画像形成装置本体から突出可能に前記画像形成装置本体に設けられ、シートの収納に用いられる収納部と、を有し、前記収納部は、前記オプションユニット側から前記画像形成装置本体内に搬送されるシートが通過する通過孔が形成されている画像形成装置にある。
【発明の効果】
【００１０】
本発明によれば、シートを収納する収納部とオプションユニットとを互いに干渉しないように配置するために大型化するとの弊害を低減し、小型化することができる画像形成装置を提供することができる。
【発明を実施するための最良の形態】
【００１１】
次に本発明の実施形態について図面に基づいて説明する。
図１には、本発明の第１の実施形態に係る画像形成装置１０が示されている。
画像形成装置１０は、画像形成装置本体１２を有し、画像形成装置本体１２内に、給紙装置１４、画像形成部１５が装着されているともに、例えば普通紙やＯＨＰシート等のシートの搬送がなされる主搬送路１９が形成されている。また、画像形成装置本体１２には排出口１３が形成され、画像形成装置本体１２の上部が、画像形成がなされたシートが排出される排出部１６として用いられている。また、画像形成装置本体１２の前側（図１における左側）には、画像形成装置本体１２に対して、着脱可能にオプションユニットとして用いられる反転搬送ユニット１７が装着されている。
【００１２】
画像形成部１５は、１個の感光体ユニット２６、４個の光書き込み装置５６、１個の転写ユニット２８、及び１個の定着装置３０を有していて、シートへの画像形成を行う。感光体ユニット２６は画像形成装置本体１２内に着脱可能に装着されていて、例えば４個のサブユニット５０を有している。
【００１３】
サブユニット５０は、それぞれが像保持体として用いられる感光体４０を有し、感光体４０の周囲には、感光体４０を一様に帯電する帯電手段として用いられる帯電装置４２と、感光体４０に書き込まれた潜像を現像剤（トナー）で現像し、現像手段として用いられる現像装置４４と、現像剤像の転写がなされた後の感光体４０に残留する現像剤を除去し、現像剤除去手段として用いられるクリーニング装置４８とが、それぞれに設けられている。
【００１４】
４つのサブユニット５０は、重力方向下方であるシート搬送方向上流から、イエロー現像剤像形成用、マゼンタ現像剤像形成用、シアン現像剤像形成用、黒現像剤像形成用であって、感光体４０の表面に、イエロー現像剤像、マゼンタ現像剤像、シアン現像剤像、黒トナー像をそれぞれ形成する。
【００１５】
光書き込み装置５６は、それぞれがレーザ露光装置からなり、感光体ユニット２６の背面側にあって、それぞれが感光体４０に対応した位置に配置され、一様に帯電された感光体４０に対してレーザを照射して潜像を形成する。
【００１６】
転写ユニット２８は、感光体ユニット２６の前側に位置し、感光体ユニット２６に対向するように配置されている。転写ユニット２８は、上下方向に並べられた２つの支持ロール５８、５８を有し、２つの支持ロール５８、５８に搬送ベルト６０が掛けられている。２つの支持ロール５８、５８の少なくともいずれか一方が、搬送ベルト６０に駆動を伝達する駆動ロールとして用いられ、この駆動ロールからの駆動伝達を受けて、搬送ベルト６０が回転駆動する。
【００１７】
支持ロール５８、５８には、転写バイアスが印加されていて、搬送ベルトを挟んで対向するように配置された感光体４０、４０に形成された現像剤像を、シートに転写するためにも用いられている。
【００１８】
また、転写ユニット２８は、感光体４０に対して、搬送ベルト６０を挟んで対向するように配置され、支持ロール５８、５８とは別の２個の転写ロール６２、６２を有している。転写ロール６２、６２には、ぞれぞれに転写バイアスが印加され、この転写バイアスによって、搬送ベルト６０を挟んで対向する位置に感光体４０、４０に形成された現像剤像を、それぞれシートへと転写するために用いられる。
【００１９】
定着装置３０は、加熱ロール７０と、加熱ロール７０に圧接される加圧ロール７２とを有し、転写ロール６２によってシートに転写された画像（現像剤像）を、加熱ロール７０と加圧ロール７２との接触部で加熱し、加圧することでシートへと定着するために用いられる。
【００２０】
給紙装置１４は、主として用いられる主収納容器１８を有し、主収納容器１８にシートが積層されて収納されている。主収納容器１８の一端上部には、主フィードロール２０が配置されているとともに、主フィードロール２０に対向して主リタードロール２２が設けられている。主収納容器１８の最上位にあるシートが主フィードロール２０によりピックアップされ、主フィードロール２０と主リタードロール２２との協働により捌かれ、重送が生じないように搬送される。
【００２１】
また、給紙装置１４は、少なくとも一部が画像形成装置本体１２から突出可能に画像形成装置本体１２に装着され、収納部として用いられる手差し用収納容器８０を有する。手差し用収納容器８０は、いわゆる手差し給紙を行う際に用いられる収納容器であって、例えば、主収納容器１８に収納されたシートとは異なる大きさや、異なる材質のシートに画像形成を行う場合に、手差し用収納容器８０に、その大きさ等が異なるシートが積層するように収納されたり、操作者によってシートが１枚ずつ手差しされたりする。
【００２２】
手差し用収納容器８０の一端上部には、搬送ロールとして用いられる手差し用フィードロール８２が配置されている。また、手差し用フィードロール８２に対向して、手差し用フィードロール８２に接触するように、分離部材として用いられる手差し用リタードロール８４が設けられている。手差し用収納容器８０の最上位にあるシートが手差し用フィードロール８２によりピックアップされ、手差し用フィードロール８２と手差し用リタードロール８４との協働により捌かれ、シートが重送された場合に、重送されたシートを分離して最上位に位置するシートだけが搬送される。
【００２３】
主搬送路１９は、主収納容器１８から排出部１６まで至るシートの通路であり、主搬送路１９に沿って、シートの搬送方向上流側である重力方向下方側からシート搬送方向下流側である重力方向上方に向けて順に、主フィードロール２０及び主リタードロール２２、レジストロール２４、転写ユニット２８、定着装置３０、及び排出装置として用いられる排出ロール３２が配置されている。レジストロール２４は、シートの先端部を一旦停止させた後、感光体ユニット２６で現像剤像の形成がなされるタイミングと合わせて、シートの下流側への搬送を開始する。排出ロール３２は、定着装置３０より現像剤像の定着がなれたシートを、排出口１３を介して排出部１６へと排出するように搬送する。
【００２４】
以上のように構成された画像形成装置１０では、感光体４０が、帯電装置４２により一様に帯電され、一様に帯電された感光体４０に光書き込み装置５６により潜像が形成され、この潜像が現像装置４４によって現像剤を用いて可視像化され、現像剤像が形成される。感光体４０に形成された現像剤像は、転写ユニット２８によって、シート搬送方向上流側に位置する感光体４０に形成された現像剤から順番にシートへと転写される。そして、シートに転写された現像剤像が定着装置３０によってシートに定着される。現像剤像が定着されたシートは、排出口１３を介して排出ロール３２によって排出部１６に排出される。
【００２５】
反転搬送ユニット１７は、画像形成装置本体１２に着脱可能に装着され、ユニット本体８６を有し、ユニット本体８６内に反転搬送路８８が形成されている。反転搬送路８８は、画像形成部１５で一方の面（表面）に画像形成がなされたシートの他方の面（裏面）にも画像形成をする場合に、一方の面に画像形成がされたシートを、反転させつつ、再び画像形成部１５へと搬送するために用いられる。また、反転搬送路８８に沿って、反転搬送ロール９０、９０が設けられていて、反転搬送ロール９０、９０によって、反転搬送路８８に供給されたシートの搬送がなされる
【００２６】
反転搬送路８８を用いて、一方の面に画像形成がなされたシートを反転させつつ、再び画像形成部１５に供給するには、一方の面に画像形成がなされたシートを排出ロール３２で排出部１６に排出する際に、シート後端部付近が排出ロール３２にくわえこまれた状態で、排出ロール３２の回転を停止し、排出ロール３２を逆回転させる。そして、排出ロール３２が逆回転することで、シートが後端部側から反転搬送路８８へと供給される。そして、後端部側から反転搬送路８８内に供給されたシートが、反転搬送ロール９０、９０によって搬送され、手差し用フィードロール８２へと供給される。そして、手差し用フィードロール８２へと供給されたシートは、手差し用リタードロール８４によって捌かれ、手差し用収納容器８０に収納されたシートとの重送が生じないようにレジストロール２４へと供給され、レジストロール２４によって、所定のタイミングで画像形成部１５へと再び搬送される。
【００２７】
手差し用収納容器８０は、第１の部材９６と第２の部材９８とを有する。第１の部材９６は、例えば一端側が、支持手段として用いられる軸１００を用いて画像形成装置本体１２に対して回転することができるように支持され、装着されている。第２の部材９８は、第１の部材９６の軸１００によって画像形成装置本体１２に固定された側と逆側の端部に、支持手段として用いられる軸１０２を用いて、第１の部材９６に回転自在に支持され装着されている。このため、手差し用収納容器８０は、第１の部材９６及び第２の部材９８を一体として、画像形成装置本体１２に対して軸１００を中心として回転することができ、また、第２の部材９８は、第１の部材９６に対して軸１０２を中心に回転することできる。
【００２８】
図１に示される反転搬送ユニット１７が画像形成装置本体１２に装着された状態において、手差し用収納容器８０は、第２の部材９８の全部分、及び第１の部材９６の第２の部材９８が装着された側が、反転搬送ユニット１７のユニット本体８６から突出するようになっている。また、図１に示される反転搬送ユニット１７が画像形成装置本体１２に装着された状態において、手差し用収納容器８０は、軸１０２を中心に第２の部材９８が回転をすることで、第１の部材９６と第２の部材９８とが反転搬送ユニット１７の外形に合わせてように折曲した状態となっている。この状態においては、手差し用収納容器８０は、反転搬送路８８を避け、反転搬送路８８と干渉が生じないように変形している。
【００２９】
手差し用収納容器８０が、反転搬送ユニット１７の外形に合わせて、第１の部材９６と第２の部材９８とが折曲しないとすると、手差し用収納容器８０は、画像形成装置本体１２と逆側（図１における左側）に大きく突出した状態となってしまい、画像形成装置１０が大型化してしまうものの、この実施形態においては、反転搬送ユニット１７の外形に合わせて、第１の部材９６と第２の部材９８とが折曲するために、画像形成装置１０が比較的に小型となっている。
【００３０】
また、手差し用収納容器８０が、反転搬送ユニット１７の外形に合わせて、第１の部材９６と第２の部材９８とが折曲しないとすると、手差し用収納容器８０と干渉を生じない位置に反転搬送ユニット１７を配置する必要があり、画像形成装置１０が大型となる虞があるものの、反転搬送ユニット１７が装着されていないときに、手差し用収納容器８０が占有していた空間に反転搬送ユニット１７が配置されるため、画像形成装置１０が比較的に小型となっている。
【００３１】
図２には、図１に示す状態から、図１に矢印で示す反時計回り方向に軸１０２を中心に第２の部材９８が回転するようにして、手差し用収納容器８０が変形した状態が示されている。この図２に示す状態では、手差し用収納容器８０からのシートを、手差し用フィードロール８２を用いてシートを画像形成部１５へ向かって供給することができる。
【００３２】
図３には、本発明の第１の実施形態において、反転搬送ユニット１７が装着されていない状態にあり、手差し用収納容器８０を用いたシートの供給が行われない状態ある画像形成装置１０が示されている。図３に示される状態においては、第１の部材９６及び第２の部材９８が、画像形成装置本体１２の前側側壁１２ａの外形に合わせて接触するように配置された状態となっている。
【００３３】
図４には、本発明の第１の実施形態に係る画像形成装置１０において、反転搬送ユニット１７が装着されていない状態にあり、手差し用収納容器８０を用いてシートの供給を行うことができる状態ある画像形成装置１０が示されている。この図４に示される状態は、図３に示される状態から、軸１００を中心に第１の部材９６及び第２の部材９８が一体として反時計回り方向に回転した状態である。この図４に示す状態では、手差し用収納容器８０からのシートを、手差し用フィードロール８２を用いてシートを画像形成部１５へ向かって供給することができる。
【００３４】
手差し用収納容器８０は、以上で説明したように、画像形成装置本体１２に反転搬送ユニット１７が装着された状態であっても、画像形成装置本体１２に反転搬送ユニット１７が取り付けられていない状態であっても、少なくとも一部が画像形成装置本体１２又は反転搬送ユニット１７から突出した状態にあり、シートの供給に用いられる。このため、例えば、反転搬送ユニット１７が装着されていない場合に用いられる手差し用収納容器と、この手差し用収納容器とは別の、反転搬送ユニット１７が装着された場合に用いられる手差しユニットを有するように画像形成装置１０を構成する場合と比較して、画像形成装置１０が簡単な構成となっている。
【００３５】
図５には、手差し用収納容器８０が模式的に示されている。図５には、図２及び４に示される、第２の部材９８が第１の部材９６に対して軸１０２を中心に反時計回り方向に回転した状態にある手差し用収納容器８０が示されている。図５に示されるように、第１の部材９６の上向きの面には、シートの側部からシートの搬送を案内する案内部１１０、１１０が設けられている。案内部１１０、１１０は、図５に矢印で示すように、シートの搬送方向と略直行する方向に移動することができるように第１の部材９６に装着された案内部本体１１２、１１２を有する。案内部本体１１２、１１２は、用いるシートの幅に合わせて、使用者によって移動がなされる。
【００３６】
案内部本体１１２、１１２には、それぞれ軸１１４、１１４を用いて、回転部材１１６、１１６が案内部本体１１２、１１２に対して回転することができるように装着されている。回転部材１１６、１１６は、軸１１４、１１４が設けられた位置と逆側が、第２の部材９８の側に突出していて、突出した部分が第２の部材９８に押し付けられる方向に軸１１４、１１４を中心に回転するように、図示を省略する例えば捩りバネ等の付勢手段によって付勢されている。このため、第２の部材９８が軸１０２を中心に時計回り方向、又は反時計回り方向に回転すると、これに連係して、回転部材１１６、１１６も軸１１４、１１４を中心として、時計回り方向、又は反時計回り方向に回転する。
【００３７】
図６には、手差し用収納容器８０の変形例が示されている。第１の実施形態の手差し用収納容器８０に設けられていた回転部材１１６、１１６が、この変形例の手差し用収納容器８０には設けられていない。このため、第１の実施形態に用いられる手差し用収納容器と比較して構造が簡単である。
【００３８】
図７には、本発明の第２の実施形態に係る画像形成装置１０が示されている。
第２の実施形態に係る画像形成装置１０は、収納部として用いられ、先述の第１の実施形態と同様に、少なくとも一部が画像形成装置本体１２から突出可能に、画像形成装置本体１２に装着され、シートの収納に用いられる手差し用収納容器８０を有している。先述の第１の実施形態においては、手差し用収納容器８０は、第１の部材９６と、第１の部材９６に回転可能に装着された第２の部材９８とを有していた。これに対して、この第２の実施形態では、手差し用収納容器８０は第１の部材９６を有するものの第２の部材９８を有していない。このため、先述の第１の実施形態では、第２の部材９８が回転するようにして手差し用収納容器８０が変形したのに対して、この第２の実施形態では、手差し用収納容器８０は変形しない。
【００３９】
また、この第２の実施形態に係る画像形成装置１０は、手差し用収納容器８０と併せて、手差し収納容器１２０を有している。手差し収納容器１２０は、少なくとも一部が反転搬送ユニット１７のユニット本体８６から突出可能にユニット本体８６に装着され、シートの収納に用いられ、軸１２２を用いてユニット本体８６に装着されている。手差し収納容器１２０は、軸１２２を中心に回転することができ、図７に実線で示すユニット本体８６に対して閉じられた状態と、図７に二点鎖線で示すユニット本体８６に対して開かれた位置との間で移動することができるようになっている。図７に二点鎖線で示される手差し収納容器１２０がユニット本体８６に対して開かれた状態では、手差し用収納容器１２０に収納されたシートを、手差し用フィードロール８２等を用いてシートを画像形成部１５へ向かって供給することができる。
【００４０】
図８には、本発明の第２の実施形態に係る画像形成装置１０の、反転搬送ユニット１７が装着されていない状態が示されている。この状態においては、手差し収納容器８０は、少なくとも一部が画像形成装置本体１２から突出可能である。また、この状態においては、手差し用収納容器８０が、反転搬送ユニット１７と干渉することなく、画像形成装置本体１２に対して開閉するように移動することができるようになっていて、手差し用収納容器８０は、軸１００を中心に回転するようにして、図８に実線で示す画像形成装置本体１２に対して閉じられた位置と、図８に二点鎖線で示すが画像形成装置本体１２に対して開かれた位置との間で移動することができるようになっている。図８に二点鎖線で示される手差し用収納容器８０が画像形成装置本体１２に対して開かれた位置では、手差し用収納容器８０に収納されたシートを、手差し用フィードロール８２等を用いてシートを画像形成部１５へ向かって供給することができる。
【００４１】
図９には、本発明の第２の実施形態に用いられる手差し用収納容器８０が示されている。手差し用収納容器８０には、反転搬送ユニット１７側から画像形成装置本体１２内に搬送されるシートが通過する通過孔１２４が形成されている。通過孔１２４は、手差し用収納容器８０が閉じられた状態（図７及び８で実線で示される状態）において、画像形成装置本体１２内と、画像形成装置本体１２外とを連通するように、例えば、軸１００近傍に形成されている。
【００４２】
図７に示される反転搬送ユニット１７が装着された状態において、反転搬送路８８により反転され、供給されたシートは、通過孔１２４を通過するようにして、画像形成装置本体１２内に挿入され、手差し用フィードロール８２等によって画像形成部１５に向かって搬送される。また、図７に示される反転搬送ユニット１７が装着された状態において、手差し用収納容器１２０から供給されたシートは、通過孔１２４を通過するようにして、画像形成装置本体１２内に挿入され、手差し用フィードロール８２によって画像形成部１５に向かって搬送される。
【００４３】
このように、シートが通過する通過孔１２４が手差し用収納容器８０に形成されているため、反転搬送ユニット１７を画像形成装置本体１２に装着する際に、手差し用収納容器８０を画像形成装置本体１２から取り外さなくても、シートの搬送がなされる搬送路を確保される。なお、第１の実施形態と同じ部分については、図７乃至９のいずれかに同一番号を付して説明を省略する。
【００４４】
なお、以上で説明をした第１及び第２の実施形態では、画像形成装置本体１２に着脱可能に設けられたオプションユニットとして、反転搬送ユニット１７を用いる例について説明したが、オプションユニットは反転搬送ユニットに限らず、他のオプションユニットを画像形成装置本体１２に着脱可能に装着する場合にも、発明を適用することができる。ここで、オプションユニットとは、例えば原稿を読み取るために用いられる原稿読み取りユニット、収納できるシートの量や種類を増やすために用いられるシート収納ユニット等の、画像形成又はシート搬送に関する機能を付加するために、選択的に画像形成装置本体に着脱可能に装着されるユニットをいう。
【産業上の利用可能性】
【００４５】
以上述べたように、本発明は、例えば、複写機、ファクシミリ装置、プリンタ等のシートを反転させてシートの両面に画像形成を行うことが可能な画像形成装置に適用することができる。
【図面の簡単な説明】
【００４６】
【図１】本発明の第１実施形態に係る画像形成装置の概略構成を示す側面図である。
【図２】本発明の第１実施形態に係る画像形成装置の、反転ユニットが装着され、手差し用収納容器がシート搬送に用いられる位置にセットされた状態を説明する説明図である。
【図３】本発明の第１実施形態に係る画像形成装置の、反転ユニットが取り外され、手差し用収納容器がシート搬送に用いられない位置にセットされた状態を説明する説明図である。
【図４】本発明の第１実施形態に係る画像形成装置の、反転ユニットが取り外され、手差し用収納容器がシート搬送に用いられる位置にセットされた状態を説明する説明図である。
【図５】本発明の第１の実施形態に用いられる第２収納容器の構成を模式的に示す斜視図である。
【図６】本発明の第１の実施形態に用いられる第２収納容器の変形例の構成を模式的に示す斜視図である。
【図７】本発明の第２実施形態に係る画像形成装置の概略構成を示す側面図である。
【図８】本発明の第２実施形態に係る画像形成装置の、反転ユニットが取り外された状態を説明する説明図である。
【図９】本発明の第２の実施形態に用いられる主収納容器の構成を模式的に示す斜視図である。
【符号の説明】
【００４７】
１０    画像形成装置
１２    画像形成装置本体
１７    反転搬送ユニット
８０    手差し用収納容器
８２    手差し用フィードロール
８４    手差し用リタードロール
８６    ユニット本体
８８    反転搬送路
９６    第１の部材
９８    第２の部材
１１０  案内部
１１２  案内部本体
１１６  回転部材
１２０  手差し用収納容器
１２４  通過孔
【図１】
2008276100.tif 000003
【図２】
2008276100.tif 000004
【図３】
2008276100.tif 000005
【図４】
2008276100.tif 000006
【図５】
2008276100.tif 000007
【図６】
2008276100.tif 000008
【図７】
2008276100.tif 000009
【図８】
2008276100.tif 000010
【図９】
2008276100.tif 000011